(57)【要約】  ホログラフィック記録媒体に／からデータを記録／再生する方法を提供する。信号光と参照光との干渉によってデータを含んでいるホログラムがページ単位で記録されるホログラフィック記録媒体にデータを記録する方法において、ページについての情報を含んでいる付加情報の二値化されたデータの０または１の比率が一定に保持されるように変調する段階と、変調された付加情報が付け加えられたページをホログラフィック記録媒体に記録する段階と、を含むことによって、ページの付加情報のデータ比率を一定に保持し、ランレングスを制限して、ホログラフィック記録媒体に記録されたデータの再生時にページを容易に判読しうる。
2010517203.tif 000002
【特許請求の範囲】
【請求項１】
信号光と参照光との干渉によってデータを含んでいるホログラムがページ単位で記録されるホログラフィック記録媒体にデータを記録する方法において、
前記ページについての情報を含んでいる付加情報の二値化されたデータの０または１の比率が一定に保持されるように変調する段階と、
前記変調された付加情報が付け加えられたページを前記ホログラフィック記録媒体に記録する段階と、を含むことを特徴とするデータ記録方法。
【請求項２】
前記変調された付加情報データで連続する０または１の個数を基準値と比較する段階をさらに含むことを特徴とする請求項１に記載のデータ記録方法。
【請求項３】
前記変調された付加情報データで連続する０または１の個数が前記基準値より大きい場合、前記変調された付加情報データを連続する０または１の個数が前記基準値より小さくなるように再変調する段階をさらに含むことを特徴とする請求項２に記載のデータ記録方法。
【請求項４】
前記付加情報を変調する段階は、
前記付加情報の二値化されたデータで前記０を００または１１に変調し、前記１を１０または０１に変調する段階を含むことを特徴とする請求項１に記載のデータ記録方法。
【請求項５】
前記付加情報を変調する段階は、
前記付加情報の二値化されたデータで前記０または１のうち、１つは０１に変調し、残りの１つは１０に変調する段階を含むことを特徴とする請求項１に記載のデータ記録方法。
【請求項６】
前記付加情報は、前記ページの周辺に複数個添付されており、前記複数の付加情報のうち、少なくとも２つは同じデータに変調されることを特徴とする請求項１に記載のデータ記録方法。
【請求項７】
前記付加情報は、バーコード形式で表示されることを特徴とする請求項１に記載のデータ記録方法。
【請求項８】
前記付加情報は、前記ページのデータ情報、アドレス情報、前記信号光または前記参照光の角度情報、前記ページのブック（ｂｏｏｋ）情報のうち、少なくとも１つの情報を表示することを特徴とする請求項１に記載のデータ記録方法。
【請求項９】
信号光と参照光との干渉によってデータを含んでいるホログラムがページ単位で記録されるホログラフィック記録媒体にデータを再生する方法において、
前記ホログラフィック記録媒体に保存された前記参照光を利用して前記ページについての情報を含んでいる付加情報を読出す段階と、
前記付加情報の量子化されたデータをスライスレベルでスライス処理し、前記スライスレベル値より高い第１データと前記スライスレベルより低い第２データとの比率が第１値を有するように前記スライスレベルを調節する段階と、を含むことを特徴とするデータ再生方法。
【請求項１０】
前記付加情報は、１と０との比率が前記第１値の比率で二値化されて前記ホログラフィック記録媒体に記録されていることを特徴とする請求項９に記載のデータ再生方法。
【請求項１１】
前記記録された付加情報で連続する０または１の個数は、基準値より少ないことを特徴とする請求項１０に記載のデータ再生方法。
【請求項１２】
前記第１データを１と判別し、前記第２データを０と判別し、前記１と０との分布情報から前記ページの整列表示を検出することを特徴とする請求項９に記載のデータ再生方法。
【請求項１３】
信号光と参照光との干渉によってデータを含んでいるホログラムがページ単位で記録されるホログラフィック記録媒体にデータを記録する装置において、
前記信号光及び参照光を利用して前記ホログラフィック記録媒体にデータを記録する光処理部と、
前記ページについての情報を含んでいる付加情報の二値化されたデータの０または１の比率が一定に保持されるように変調し、前記変調された付加情報が付け加えられたページを前記ホログラフィック記録媒体に記録する制御部と、を含むことを特徴とするデータ記録装置。
【請求項１４】
前記制御部は、
前記０または１の比率が一定に保持されるように変調した後、前記変調された付加情報データで連続する０または１の個数を基準値と比較することを特徴とする請求項１３に記載のデータ記録装置。
【請求項１５】
前記変調された付加情報データで連続する０または１の個数が前記基準値より大きい場合、前記変調された付加情報データを連続する０または１の個数が前記基準値より小さくなるように再変調することを特徴とする請求項１４に記載のデータ記録装置。
【請求項１６】
前記制御部は、
前記付加情報の二値化されたデータで前記０を００または１１に変調し、前記１を１０または０１に変調することを特徴とする請求項１３に記載のデータ記録装置。
【請求項１７】
前記制御部は、
前記付加情報の二値化されたデータで前記０または１のうち、１つは０１に変調し、残りの１つは１０に変調することを特徴とする請求項１３に記載のデータ記録装置。
【請求項１８】
前記付加情報は、前記ページの周辺に複数個添付されており、
前記制御部は、
前記複数の付加情報のうち、少なくとも２つを同じデータに変調することを特徴とする請求項１３に記載のデータ記録装置。
【請求項１９】
前記付加情報は、バーコード形式で表示されることを特徴とする請求項１３に記載のデータ記録装置。
【請求項２０】
前記付加情報は、前記ページのデータ情報、アドレス情報、前記信号光または前記参照光の角度情報、前記ページのブック情報のうち、少なくとも１つの情報を表示することを特徴とする請求項１３に記載のデータ記録装置。
【請求項２１】
信号光と参照光との干渉によってデータを含んでいるホログラムがページ単位で記録されるホログラフィック記録媒体にデータを再生する装置において、
前記参照光を利用して前記ホログラフィック記録媒体から前記ページについての情報を含んでいる付加情報を読出す光処理部と、
前記付加情報の量子化されたデータをスライスレベルでスライス処理し、前記スライスレベル値より高い第１データと前記スライスレベルより低い第２データとの比率が第１値を有するように、前記スライスレベルを調節する制御部を含むことを特徴とするデータ再生装置。
【請求項２２】
前記付加情報は、１と０との比率が前記第１値の比率で二値化されて前記ホログラフィック記録媒体に記録されていることを特徴とする請求項２１に記載のデータ再生装置。
【請求項２３】
前記記録された付加情報で連続する０または１の個数は基準値より少ないことを特徴とする請求項２２に記載のデータ再生装置。
【請求項２４】
前記第１データを１と判別し、前記第２データを０と判別し、前記１と０との分布情報から前記ページの整列表示を検出することを特徴とする請求項２１に記載のデータ再生装置。
【請求項２５】
信号光と参照光との干渉によってデータを含んでいるホログラムがページ単位で記録されるホログラフィック記録媒体において、
前記ページについての情報を含んでいる付加情報の二値化されたデータの０または１の比率が一定に保持されて記録されていることを特徴とするホログラフィック記録媒体。
【請求項２６】
前記記録された付加情報で連続する０または１の個数は基準値より少ないことを特徴とする請求項２５に記載のホログラフィック記録媒体。
【請求項２７】
請求項１に記載の方法をコンピュータに実行させるためのプログラムを記録したコンピュータで読取り可能な記録媒体。
【請求項２８】
請求項９に記載の方法をコンピュータに実行させるためのプログラムを記録したコンピュータで読取り可能な記録媒体。
【請求項２９】
前記再変調段階は、前記連続する０の長さを縮めるために１ビットを１０に再変調する段階を含むことを特徴とする請求項３に記載のデータ記録方法。
【請求項３０】
前記再変調段階は、前記連続する０の長さを縮めるために０ビットを１１に再変調する段階を含むことを特徴とする請求項３に記載のデータ記録方法。
【請求項３１】
前記再変調段階は、連続する１の長さを縮めるために１ビットを０１に再変調する段階を含むことを特徴とする請求項３に記載のデータ記録方法。
【請求項３２】
前記再変調段階は、連続する１の長さを縮めるために０ビットを００に再変調する段階を含むことを特徴とする請求項３に記載のデータ記録方法。
【請求項３３】
前記付加情報は、前記ホログラフィック記録媒体再生装置が、前記ページへのデータをいずれも読出しせず、前記ページからデータの一部を読出すようにすることを特徴とする請求項２５に記載のホログラフィック記録媒体。
【請求項３４】
前記付加情報において、二値化されたデータで０と１の比率が定数になるように、前記付加情報が前記ホログラフィック媒体に変調されたフォーマットで保存されていることを特徴とする請求項９に記載の再生方法。
【請求項３５】
前記付加情報において、二値化されたデータで０と１の比率が定数になるように、前記付加情報が前記ホログラフィック媒体に変調されたフォーマットで保存されていることを特徴とする請求項２１に記載の再生装置。
【発明の詳細な説明】
【技術分野】
【０００１】
本発明は、ホログラフィック記録媒体に／からデータを記録／再生する方法及びその装置に関する。
【背景技術】
【０００２】
光学ホログラフィーでデータは、記録媒体の表面ではなく、ボリュームを通じて保存される。信号を含んでいる光は記録媒体内で参照光と干渉を起こして、データページと呼ばれる干渉グレーティングを生成する。複数個のグレーティングが参照光の光学特性を変化させることで重畳される。このようなプロセスを多重化（ｍｕｌｔｉｐｌｅｘｉｎｇ）と呼ぶ。データ読出時には、単一の参照光がデータ記録に使われた条件と同じ条件下で記録媒体に入射され、保存されたデータページを示す回折光を生成する。回折光は、検出アレイにより検出され、この検出アレイは、測定された強度パターン（ｉｎｔｅｎｓｉｔｙ  ｐａｔｔｅｒｎ）から保存されたデータビットを抽出する。データページは、複数のデータビットまたはピクセルを含んでいる。
【０００３】
このような複数のデータページを同じボリュームに重畳させることによって、データ貯蔵容量も大きくなりうる。ホログラムは、データを含む信号光と参照光とを利用して記録される。
【０００４】
図１は、光学ホログラフィーで記録／再生を説明するための参考図である。
【０００５】
まず、記録時に、図１Ａに図示されたように、参照光Ｒと信号光Ｓは、干渉パターンを生成するために、互いに干渉して、このような干渉パターンが媒体に伝達される。
【０００６】
そして、再生時に、図１Ｂに図示されたように、媒体に記録されたホログラムにオリジナル参照光Ｒを照射すれば、これが記録されたホログラムの回折現象を起こして出力信号光Ｓを生成する。
【０００７】
ホログラム記録媒体への記録は、信号光と参照光との干渉からなる。信号光は、空間光変調器により多数のピクセルからなるページ形態で作られる。作られた信号光は、光学系を経て参照光と媒体上で干渉を起こす。このように生じた干渉紋が媒体上に記録される。再生は、記録された干渉紋に参照光を入射させて本来記録された信号光が回折現象により再生される。
【０００８】
ホログラム記録時に、参照光の角度を変化させる方法を利用して信号光の強度及び位相までも記録でき、２進データで構成されたページ単位で数百ないし数千個のホログラムを同一位置に記録しうる。またページは、オン（ｏｎ）またはオフ（ｏｆｆ）でもって該当ピクセルの情報を示すことができる。
【０００９】
また、２進データをホログラフィック記録媒体に記録するために、空間光変調器（Ｓｐａｔｉａｌ  Ｌｉｇｈｔ  Ｍｏｄｕｌａｔｏｒ）で２進データを生成し、ＣＣＤやＣＭＯＳで構成される検出部では光度による強度分布を２進データ形式で入力され、原本ページの該当位置で２進データ値を移動させて判読する。
【００１０】
この際、空間光変調器で２進データを生成するか、ページデータを再生する過程でノイズが発生する場合、ノイズによって原本ページのデータが変更されるか、原本ページの形状が変わる場合が発生して、検出部は、原本データを判読するにあたって容易性が劣る。
【００１１】
特に、ページデータのアドレス情報や変調情報などを含んでいる付加情報に、ノイズによるエラーが発生する場合、検出部は、付加情報を通じて原本データを読取るに当たって、正確性が落ちる問題点がある。
【発明の概要】
【発明が解決しようとする課題】
【００１２】
本発明が解決しようとする技術的課題は、ホログラフィック記録媒体にデータを記録または再生する方法において、ホログラフィック記録媒体に記録されたページに対する付加情報のエラーを減らし、データを容易に検出する方法を提供することである。
【課題を解決するための手段】
【００１３】
前記目的を達成するための本発明によれば、信号光と参照光との干渉によってデータを含んでいるホログラムがページ単位で記録されるホログラフィック記録媒体にデータを記録する方法において、前記ページについての情報を含んでいる付加情報の二値化されたデータの０または１の比率が一定に保持されるように変調する段階と、前記変調された付加情報が付け加えられたページを前記ホログラフィック記録媒体に記録する段階を含むことを特徴とする。
【００１４】
ここで、前記変調された付加情報データで連続する０または１の個数を基準値と比較する段階をさらに含むことを特徴とする。
【００１５】
ここで、前記変調された付加情報データで連続する０または１の個数が前記基準値より大きい場合、前記変調された付加情報データを連続する０または１の個数が前記基準値より小さくなるように再変調する段階をさらに含むことを特徴とする。
【００１６】
ここで、前記付加情報の二値化されたデータで前記０を００または１１に変調し、前記１を１０または０１に変調することを特徴とする。
【００１７】
ここで、前記付加情報の二値化されたデータで前記０または１のうち、１つは０１に変調し、残りの１つは１０に変調することを特徴とする。
【００１８】
ここで、前記付加情報は前記ページの周辺に複数個添付されており、前記複数の付加情報のうち、少なくとも２つは同じデータに変調されることを特徴とする。ここで、前記付加情報は、バーコード形式で表示されることを特徴とする。
【００１９】
ここで、前記付加情報は、前記ページのデータ情報、アドレス情報、前記信号光または前記参照光の角度情報、前記ページのブック情報のうち、少なくとも１つの情報を表示することを特徴とする。
【００２０】
また、信号光と参照光との干渉によってデータを含んでいるホログラムがページ単位で記録されるホログラフィック記録媒体にデータを再生する方法において、前記参照光を利用して前記ページについての情報を含んでいる付加情報を読出す段階と、前記付加情報の量子化されたデータをスライスレベルでスライス処理して、前記スライスレベル値より高い第１データと前記スライスレベルより低い第２データとの比率が第１値を有するように、前記スライスレベルを調節する段階と、を含むことを特徴とする。
【００２１】
ここで、前記付加情報は、１と０との比率が前記第１値の比率で二値化されて前記ホログラフィック記録媒体に記録されていることを特徴とする。
【００２２】
ここで、前記記録された付加情報で連続する０または１の個数は基準値より少ないことを特徴とする。
【００２３】
ここで、前記第１データを１と判別し、前記第２データを０と判別し、前記１と０との分布情報から前記ページの整列表示を検出することを特徴とする。
【００２４】
また、信号光と参照光との干渉によってデータを含んでいるホログラムがページ単位で記録されるホログラフィック記録媒体にデータを記録する装置において、前記信号光及び参照光を利用して前記ホログラフィック記録媒体にデータを記録する光処理部と、前記ページについての情報を含んでいる付加情報の二値化されたデータの０または１の比率が一定に保持されるように変調し、前記変調された付加情報が付け加えられたページを前記ホログラフィック記録媒体に記録する制御部を含むことを特徴とする。
【００２５】
また、信号光と参照光との干渉によってデータを含んでいるホログラムがページ単位で記録されるホログラフィック記録媒体にデータを再生する装置において、前記参照光を利用して前記ホログラフィック記録媒体から前記ページについての情報を含んでいる付加情報を読出す光処理部と、前記付加情報の量子化されたデータをスライスレベルでスライス処理し、前記スライスレベル値より高い第１データと前記スライスレベルより低い第２データとの比率が第１値を有するように、前記スライスレベルを調節する制御部を含むことを特徴とする。
【発明の効果】
【００２６】
本発明によるホログラフィック記録媒体へのデータ記録方法において、ページの付加情報のデータ比率を一定に保持し、ランレングスを制限することによって、ホログラフィック記録媒体に記録されたデータの再生時に容易にページを判読しうる。
【図面の簡単な説明】
【００２７】
【図１Ａ】光学ホログラフィーで記録を説明するための参考図である。
【図１Ｂ】光学ホログラフィーで再生を説明するための参考図である。
【図２】本発明の実施例によるホログラム記録／再生装置の概略的な構成を示すブロック図である。
【図３】本発明の実施例による原本ページを示す図である。
【図４】本発明の実施例による制御部が付加情報を変更する方法を示すフローチャートである。
【図５】本発明の実施例による制御部によって付加情報が変調されることを例として示す図である。
【図６】本発明の実施例による制御部が変調された付加情報データをスライスする方法を示す図である。
【発明を実施するための形態】
【００２８】
本発明と本発明の動作上の利点及び本発明の実施によって達成される目的を十分に理解するためには、本発明の望ましい実施例を例示する添付図面及び図面に記載された内容を参照せねばならない。
【００２９】
以下、添付した図面を参照して本発明の望ましい実施例を説明することによって、本発明を詳細に説明する。各図面に提示された同じ参照符号は同じ部材を示す。
【００３０】
図２は、本発明の実施例によるホログラム記録／再生装置の概略的な構成を示すブロック図である。図２に示されたように、本発明の実施例によるホログラフィック記録再生装置は、ホログラフィック記録媒体１００が挿入された光処理部３００、ホログラフィック記録媒体１００に／からデータを記録／再生するように、光処理部３００を制御する制御部４００及びホログラフィック記録媒体１００から読出されたデータを臨時保存するか、ホログラフィック記録媒体１００に記録されるデータを臨時保存するメモリ５００を含む。光処理部３００は、レーザー光源３１１、ビームスプリッタ３１２、第１反射鏡３１３、空間光変調器（Ｓｐａｔｉａｌ  Ｌｉｇｈｔ  Ｍｏｄｕｌａｔｏｒ、以下“ＳＬＭ”と称する）３１４、第１レンズ３１５、第２反射鏡３１６、第２レンズ３１７、第３レンズ３１８及び検出部３１９を含む。
【００３１】
制御部４００は、光処理部３００を制御し、また記録データを含むページデータを生成して光処理部３００に伝送し、光処理部３００から再生された信号をデータ処理する。特に、本発明による制御部４００は、ホログラフィック記録媒体１００に記録される図３のようなページ６００に含まれる付加情報６０７、６０８、６０９、６１０の０と１との比率を一定に保持するようにして、検出部３１９での判読を容易にする。
【００３２】
制御部４００がホログラフィック記録媒体１００に記録されるデータの付加情報を変調する過程について説明する。
【００３３】
まず、図３は、本発明の実施例による原本ページ６００を示す図である。図３に示されたように、原本ページ６００は、４つのページ整列表示（Ｐａｇｅ  Ａｌｉｇｎ  Ｍａｒｋ）６０２、６０３、６０４、６０５、ページデータ６０６及び付加情報６０７、６０８、６０９、６１０を含み、原本ページ６００は、記録のためのＳＬＭ３１４の全体面積を示す。ページデータ６０６は、信号光と参照光により生成された干渉紋が記録されるものであって、光が入射されることを１に、光が遮断されたことを０にし、オン／オフピクセルの形で生成される。まず、ページ整列表示６０２、６０３、６０４、６０５は、ページデータ６０６の４つのコーナに位置し、検出部３１９がページデータ６０６の位置を正確に把握可能にする。すなわち、ページ整列表示６０２、６０３、６０４、６０５は、ページの位置を補正するために使われ、ページ整列表示６０２、６０３、６０４、６０５を基準に検出部３１９で検出されたページを既定の位置に復元させる。
【００３４】
そして、付加情報６０７、６０８、６０９、６１０は、ページデータ６０６の４つの各辺に位置し、ページデータの変調情報、アドレス情報、信号光や参照光の角度情報またはブック情報などが記録される。もちろん、付加情報は、ページデータ６０６のある一辺にのみ位置しても、ページデータ６０６の両辺に位置してもよく、その位置及び形態は多様である。
【００３５】
アドレス情報を含んでいる付加情報６０７、６０８、６０９、６１０の機能について例を挙げて説明すれば、ホログラフィック記録媒体１００の特定部分のデータを読出そうとする時、ノイズによってデータのアドレス情報にエラーが生じれば、付加情報を用いて現在アドレス位置に基づいて、正確なアドレス位置を探す。したがって、ホログラフィック記録媒体１００のあらゆるページデータを検出せずとも、付加情報を利用して必要とするデータを読出すことができる。
【００３６】
この際、図３に示されたように、本発明の実施例による付加情報６０７、６０８、６０９、６１０は、０と１とのバーコードの形で示すことができる。すなわち、０と１とをバーコード形態の黒色と白色とで表示できるが、０はバーコードの黒色部分で表示され、１はバーコードの白色部分で表示されうる。また、それぞれの０と１ビットは、バーコードのように長方形を有する。
【００３７】
以下、ホログラフィック記録媒体１００にデータを記録し、該記録されたデータを再生するための過程について説明する。
【００３８】
まず、ホログラフィック記録媒体１００にデータを記録するとき、レーザー光源３１１から出力される干渉性を有するレーザー光はビームスプリッタ３１２に入射し、参照光と信号光とに分離される。信号光は、ＳＬＭ３１４に入射し、記録データを表示するＳＬＭ３１４に入射された信号光は空間光変調（振幅変調）される。変調された信号光は、第１レンズ３１５によってホログラフィック記録媒体１００に集光される。一方、参照光は、第２反射鏡３１６により反射されて第２レンズ３１７によりホログラフィック記録媒体１００に照射される。したがって、信号光と参照光とが重畳されて形成される干渉紋がホログラフィック記録媒体１００に微細な疎密パターンとして記録される。
【００３９】
ホログラフィック記録媒体１００に記録されたデータを再生するためには、再生しようとするデータページの記録時に利用された参照光と同じ照明光をホログラフィック記録媒体１００に入射させて、ホログラフィック記録媒体１００に記録されている干渉紋に対応する回折光としてデータが再生され、この回折光が第３レンズ３１８によりＣＣＤやＣＭＯＳで構成される検出部３１９に集光される。検出部３１９で出力される再生信号は制御部４００に伝達される。
【００４０】
一方、制御部４００は、付加情報６０７、６０８、６０９、６１０を変調することによって、検出部３１９が容易にページデータを検出するように制御することができるところ、以下では、制御部４００が付加情報６０７、６０８、６０９、６１０を変調する方法について説明する。
【００４１】
図４は、本発明の実施例による制御部４００が付加情報を変更する方法を示すフローチャートである。
【００４２】
まず、外部から原本ページが入力（Ｓ１０）されれば、制御部４００は、付加情報のビットを変調させて０と１との比率が一定の比率を保持するように調節する（Ｓ２０）。
【００４３】
例えば、入力される付加情報６０７−６１０のビットが０である場合には、２ｂｉｔの００または１１に変調し、入力される付加情報のビットが１である場合には、２ｂｉｔの１０または０１に変調する。この際、図５のように、以前に入力される０が００に変調されれば、引き続き入力される０は１１に変調することができる。また変調されたデータに０が多い場合、原本付加情報ビット０を１１に変調し、変調されたデータに１が多い場合、原本付加情報ビット０を００に変調し、全体的な０と１との比率を一定に保持することもできる。
【００４４】
図５は、本発明の実施例による制御部４００により付加情報６０７−６１０が変調されることを、例を挙げて示す図である。この際、図５の場合、制御部４００は、変調された付加情報の０と１との比率が５０％になるように変調したものである。しかし、発明の他の実施例によれば、制御部４００は、付加情報６０７−６１０の０と１との比率が、異なる比率になるようにもできる。
【００４５】
図５に示されたように、制御部４００は、原本付加情報０を００または１１に、原本付加情報１を０１または１０に変調させる。
【００４６】
また図４を参照するに、制御部４００は、変調された付加情報のデータで連続する０または１の個数（Ｒｕｎ  ｌｅｎｇｔｈ）が基準値より多いかを判断し（Ｓ３０）、基準値より多い場合には、制御部４００は付加情報のデータを再変調する（Ｓ４０）。
【００４７】
したがって、制御部４００は、変調された付加情報のデータのうち、０が連続的に生成されて基準値より大きい場合には、基準値より小さい個数になるように再変調を行う。例えば、原本がデータで０を００に変調せず、１１に再変調する方法を取ることによって、連続的に０が生成されることを防止する。そして、次回の原本付加データ０を１１ではない、００に再変調することによって、０と１との比率は一定に保持される。
【００４８】
また、制御部４００は、変調された付加情報のデータのうち、０が連続的に生成される場合、続く原本付加データ１を０１に変調せず、１０に再変調することによって、連続する付加情報データ０の個数を減らすことができる。同様に、制御部４００は、後続する変調された付加情報のデータ０が連続的に生成される場合、以前の原本付加データ１を１０に変調せず、０１に再変調することによって、連続する付加情報データ０の個数を減らすことができる。
【００４９】
同様に、制御部４００は、変調された付加情報のデータのうち、１が連続的に生成されて基準値より大きい場合には、前述した方法と同じく、基準値より小さな個数になるように再変調を行う。例えば、原本付加データで０を１１に変調せず、００に再変調する方法を取るようにすることによって、連続的な０の生成を防止する。この際、基準値は検出部３１９で変調された付加情報データの判読が可能な臨界値であって、実験によって決まりうる。
【００５０】
そして、変調された付加情報のデータのうち、連続する０または１の個数（Ｒｕｎ  ｌｅｎｇｔｈ）が基準値より少ない場合には、変調された付加情報のデータがホログラフィック記録媒体１００に記録されるようにＳＬＭ３１４を制御する（Ｓ５０）。
【００５１】
このように変調された付加情報のデータのうち、０または１が連続的に生成される場合、検出部３１９は付加情報の開始及び終了位置を正しく検出し難く、変調された付加情報のデータがいずれも０である場合には、検出部３１９は何らのデータも付加情報に記録されていないと判断してしまうので、制御部４００は変調された付加情報のデータのうち、０または１が過度に連続して生成されることを防止する。
【００５２】
本発明の実施例では、入力される付加情報のデータが０である場合には、２ｂｉｔの００または１１に変調し、入力される付加情報のデータが１である場合には、２ｂｉｔの１０または０１に変調するように説明したが、本発明の他の実施例に入力される付加情報のデータが０である場合には、２ｂｉｔの０１に変調し、入力される付加情報のデータが１である場合には、２ｂｉｔの１０に変調するようにもできる。逆に、入力される付加情報のデータが０である場合には、２ｂｉｔの１０に変調し、入力される付加情報のデータが１である場合には、２ｂｉｔの０１に変調するようにもできる。例えば、入力される付加情報のあらゆる０ビットは、１０に変調され、あらゆる１ビットは０１に変調されうる。
【００５３】
また、本発明のさらに他の実施例で、付加情報６０７、６０８のデータを同一に変調するか、付加情報６０９、６１０のデータを同一に変調することによって、いずれか１つの付加情報にエラーが生じる場合にも、安定的にアドレス情報やページ情報を判読可能にする。
【００５４】
また、ホログラフィック記録媒体に／からデータを記録／再生する過程で多量のノイズが挿入されても、スライスレベルを通じて安定的に復号化しうる。
【００５５】
図６は、本発明の実施例による制御部４００が変調された付加情報データをスライスする方法を示すフローチャートである。
【００５６】
図４と同じ方法によってホログラフィック記録媒体１００に付加情報が記録された場合、ホログラフィック記録媒体１００に記録されたデータを再生するとき、制御部４００は付加情報データの量子化された値に対してスライスレベルを可変させて、付加情報データの０及び１を判別し、これにより、検出部３１９はホログラフィック記録媒体１００に検出されたデータを読出す。
【００５７】
すなわち、図６に示されたように、検出部３１９は、付加情報データの量子化された値に対してスライスレベルより高い値は１と認識し、スライスレベルより低い値は０に認識する。この際、制御部４００は、スライスレベルを調節して、０と１との比率が制御部４００で変調させた付加情報の０と１との比率と同一にする。
【００５８】
すなわち、制御部４００は、スライスレベルを可変させて、付加情報データの記録時の０と１との比率と、再生時の０と１との比率との一致点を検出し、該検出されたスライスレベルを基準にデータに含まれた０と１とを判別する。
【００５９】
したがって、検出部３１９は、ページ全体に対して判読する必要はなく、付加情報データの量子化された値に対してのみデータを判読する。
【００６０】
また、０と１とを判別した結果を通じて、ページ全体に対する１と０との分布情報を求め、１と０との分布情報から検出部３１９はページ整列表示６０２、６０３、６０４、６０５を正確に認識しうる。
【００６１】
このように、本発明の実施例によれば、制御部４００が付加情報６０７、６０８、６０９、６１０のデータを一定比率で保持し、連続する０または１の個数が基準値を超えないように変調することによって、ホログラフィック記録媒体に記録されたデータの再生時に検出部３１９がスライスレベルを利用して正確にページデータの全区間を判読しうる。すなわち、従来の場合、ノイズによって付加データにエラーが生じて０と１との比率が変わっても、任意のスライスレベルを通じて０と１とを判別したが、本発明の場合、０と１との比率によってスライスレベルが決定されるので、ノイズが発生しても、ビットエラー率を減らすことができる。
【００６２】
一方、本発明によるホログラフィック記録媒体へのデータ記録／再生方法は、コンピュータプログラムで作成可能である。前記プログラムを構成するコード及びコードセグメントは、当分野のコンピュータプログラマーによって容易に推論しうる。また、前記プログラムは、コンピュータで読取り可能な情報記録媒体（ｃｏｍｐｕｔｅｒ  ｒｅａｄａｂｌｅ  ｍｅｄｉａ）により保存され、コンピュータによって読取られて実行されることによって、ホログラフィック記録媒体へのデータ記録／再生方法を具現する。前記情報記録媒体は、磁気記録媒体、光記録媒体及びキャリアウェーブ媒体を含む。
【００６３】
以上、図面及び明細書で最適の実施例が開示された。ここで、特定の用語が使われたが、これは単に本発明を説明するための目的で使われたものであり、意味限定や特許請求の範囲に記載された本発明の範囲を制限するために使われたものではない。したがって、当業者ならばこれより多様な変形及び均等な他実施例が可能であるという点を理解できるであろう。したがって、本発明の真の技術的保護範囲は、特許請求の範囲の技術的思想により決まるべきである。
【図１Ａ−１Ｂ】
2010517203.tif 000003
【図２】
2010517203.tif 000004
【図３】
2010517203.tif 000005
【図４】
2010517203.tif 000006
【図５】
2010517203.tif 000007
【図６】
2010517203.tif 000008
【国際調査報告】
2010517203.tif 000009
2010517203.tif 000010